(57)【要約】      （修正有）【課題】前面部片と後面部片とでフィルタシートを保持するようにした外形がカップ形状のマスク本体で口や鼻を覆う構成のマスクであっても、装着時に口や鼻に不快感を与えることなく前面部片と後面部片とでフィルタシートを確実に保持することができるマスクを提供する。【解決手段】マスク本体２と一対の耳掛け部３とを備え、マスク本体２を、膨出形状部５ａを有する前面部片５と、膨出形状部５ａに沿って弾性変形可能で前面部片５の裏側を覆うように配される後面部片６とで形成し、空気中の異物を分離するフィルタシート４を前面部片５と後面部片６とで保持するようにしたマスク１であって、後面部片６における前面部片５の膨出形状部５ａに対応する部分の上部および下部をそれぞれ切り欠いて後面部片５に上下一対の切欠き部７，８を形成するものとする。【選択図】図２
0003209649.tif 000002
【実用新案登録請求の範囲】
【請求項１】
人の口および鼻孔を覆うことが可能なマスク本体と、このマスク本体の両側に連設されて人の両耳に掛けることが可能な一対の耳掛け部とを備え、前記マスク本体を、人の口および鼻孔に対応する中央部分が前方に膨出したような膨出形状部を有する前面部片と、前記膨出形状部に沿って弾性変形可能で前記前面部片の裏側を覆うように配される後面部片とで形成し、空気中の異物を分離するフィルタシートを前記前面部片と前記後面部片とで保持するようにしたマスクであって、
前記後面部片における前記前面部片の前記膨出形状部に対応する部分の上部および下部をそれぞれ切り欠いて前記後面部片に上下一対の切欠き部を形成することを特徴とするマスク。
【請求項２】
前記フィルタシートにおける前記膨出形状部に対応する部分の上部および下部をそれぞれ切り欠いて前記フィルタシートに上下一対の切欠き部を形成することを特徴とする請求項１に記載のマスク。
【考案の詳細な説明】
【技術分野】
【０００１】
本考案は、衛生具としてのマスクに関し、特に、マスク本体に対しフィルタシートを着脱可能に構成したマスクに関するものである。
【背景技術】
【０００２】
近年、大気中に浮遊する粉塵や花粉、細菌、ウイルス等の異物が鼻腔等を通じて体内に侵入するのを防ぐため、マスクの必要性、重要性が高まっている。
【０００３】
従来のマスクとして、例えば特許文献１および特許文献２にて提案されているものがある。ここで、特許文献１に係るマスクは、人の口および鼻孔を覆うマスク本体を備え、このマスク本体を外片（前面部片）と内片（後面部片）とで構成し、これら外片（前面部片）と内片（後面部片）とで当て布（フィルタシート）を保持するようにして、吸気時に外片（前面部片）を通して吸い込まれる空気中の異物を当て布（フィルタシート）で捕捉して分離するようにされている。また、特許文献２に係るマスクにおいては、マスク本体における人の口および鼻孔に対応する中央部分が前方に膨出したようなカップ形状にされている。
【先行技術文献】
【特許文献】
【０００４】
【特許文献１】実開平７−３６５９号公報
【特許文献２】特開２００１−２４５９９８号公報
【０００５】
ところで、特許文献１に係るマスクにおいて、マスク本体を、特許文献２で開示されているマスクのように、人の口および鼻孔に対応する中央部分を前方に膨出したようなカップ形状にした場合、マスク本体は、人の口および鼻孔に対応する中央部分が前方に膨出したような膨出形状部を有する前面部片と、この前面部片の膨出形状部に沿って変形可能で前面部片の裏側を覆うように配される後面部片とによって形成されることになる。このため、前面部片と後面部片とでフィルタシートを保持する際に、前面部片の膨出形状部に沿って後面部片が変形すると、後面部片における前面部片の膨出形状部に対応する部分の上部および下部にそれぞれ皺が寄ってしまうことになる。このように皺が寄った状態のマスクを装着すると、後面部片における上下の皺が寄った部分が鼻および口に接触し、装着感が悪くなり、口や鼻に不快感を与えるという問題点がある。また、前面部片の膨出形状部に沿って後面部片を確実に変形させることができないので、前面部片と後面部片とによってフィルタシートを確実に保持することができないとう問題点もある。
【考案の概要】
【考案が解決しようとする課題】
【０００６】
本考案は、前述のような問題点に鑑みてなされたもので、前面部片と後面部片とでフィルタシートを保持するようにした外形がカップ形状のマスク本体で口や鼻を覆う構成のマスクであっても、装着時に口や鼻に不快感を与えることなく前面部片と後面部片とでフィルタシートを確実に保持することができるマスクを提供することを目的とするものである。
【課題を解決するための手段】
【０００７】
前記目的を達成するために、本考案によるマスクは、
人の口および鼻孔を覆うことが可能なマスク本体と、このマスク本体の両側に連設されて人の両耳に掛けることが可能な一対の耳掛け部とを備え、前記マスク本体を、人の口および鼻孔に対応する中央部分が前方に膨出したような膨出形状部を有する前面部片と、前記膨出形状部に沿って弾性変形可能で前記前面部片の裏側を覆うように配される後面部片とで形成し、空気中の異物を分離するフィルタシートを前記前面部片と前記後面部片とで保持するようにしたマスクであって、
前記後面部片における前記前面部片の前記膨出形状部に対応する部分の上部および下部をそれぞれ切り欠いて前記後面部片に上下一対の切欠き部を形成することを特徴とするものである（第１考案）。
【０００８】
本考案において、前記フィルタシートにおける前記膨出形状部に対応する部分の上部および下部をそれぞれ切り欠いて前記フィルタシートに上下一対の切欠き部を形成するのが好ましい（第２考案）。
【考案の効果】
【０００９】
本考案のマスクによれば、前面部片と後面部片とでフィルタシートを保持する際に、前面部片の膨出形状部に沿って後面部片が変形すると、後面部片における前面部片の膨出形状部に対応する部分の上部および下部にそれぞれ皺が寄ろうとするが、これら上部および下部に上下一対の切欠き部が形成されているので、後面部片に皺が生じるのを防ぐことができ、前面部片の膨出形状部に沿って後面部片を確実に変形させることができる。したがって、前面部片と後面部片とでフィルタシートを保持するようにした外形がカップ形状のマスク本体で口や鼻を覆う構成のマスクであっても、装着時に口や鼻に不快感を与えることなく前面部片と後面部片とでフィルタシートを確実に保持することができる。
【００１０】
ところで、保持部に保持されるフィルタシートが前面部片の膨出形状部に沿って変形すると、フィルタシートにおける前面部片の膨出形状部に対応する部分の上部および下部にそれぞれ皺が寄ろうとする。そこで、第２考案の構成を採用することにより、すなわち、フィルタシートにおける前面部片の膨出形状部に対応する部分の上部および下部をそれぞれ切り欠いて上下一対の切欠き部を形成することにより、フィルタシートに皺が寄るのを防ぐことができ、前面部片の膨出形状部に沿ってフィルタシートを前面部片に確実に密着させることができる。
【図面の簡単な説明】
【００１１】
【図１】本考案の一実施形態に係るマスクを示す図で、（ａ）は前方から見た斜視図、（ｂ）は後方から見た斜視図である。
【図２】フィルタシートの保持状態の変化を説明する同マスクの背面図で、（ａ）はフィルタシート非保持状態を示す図、（ｂ）はフィルタシート保持状態を示す図である。
【考案を実施するための形態】
【００１２】
次に、本考案によるマスクの具体的な実施の形態について、図面を参照しつつ説明する。
【００１３】
＜マスクの概略説明＞
図１（ａ）および（ｂ）に示されるマスク１は、人の口および鼻孔を覆うことが可能なマスク本体２と、このマスク本体２の両側に一体的に連設されて人の両耳に掛けることが可能な一対の耳掛け部３とを備え、マスク本体２に対してフィルタシート４を着脱可能に構成し、吸気時にマスク本体２の後述する前面部片５を通して吸い込まれる空気中の異物をフィルタシート４で捕捉・分離して、異物が鼻腔等を通じて体内に侵入するのを防ぐための衛生具として用いられる。
【００１４】
＜マスク本体の説明＞
マスク本体２は、前面側の前面部片５と、後面側の後面部片６とよりなり、全体がカップ形状に形成されている。
【００１５】
前面部片５は、人の口および鼻孔に対応する中央部分が前方に膨出したような膨出形状部５ａを有している。後面部片６は、膨出形状部５ａに沿って弾性変形可能で前面部片５の裏側を覆うように配されている。後面部片６の両側部は、前面部片５に例えば熱融着によって接合されている。
【００１６】
図２（ａ）に示されるように、後面部片６においては、前面部片５の膨出形状部５ａに対応する部分の上部および下部がそれぞれ切り欠かれており、後面部片６の中央上部には、上方に向けて開かれたＶの字状の切欠き部７が形成される一方、後面部片６の中央下部には、下方に向けて開かれた逆Ｖの字状の切欠き部８が形成されている
【００１７】
また、後面部片６においては、前面部片５の裏側でその前面部片５との間に上下方向に開口された開口部１０が形成されるように後面部片６の中央部分が前面部片５の膨出形状部５ａから後方に離れた図２（ａ）に示されるような状態（以下、この状態を「フィルタシート非保持状態」と称する。）と、後面部片６の中央部分が前面部片５の膨出形状部５ａに密着するような図２（ｂ）に示されるような状態（以下、この状態を「フィルタシート保持状態」と称する。）とを、前面部片５に対する後面部片６の押し引き操作による後面部片６の弾性変形により切替可能となっている。
【００１８】
ここで、マスク本体２を構成する前面部片５および後面部片６の素材としては、例えばポリエステル系樹脂やポリオレフィン系樹脂、ナイロン系樹脂等の樹脂繊維からなる不織布や、樹脂素材を発泡させて成形されたいわゆる発泡樹脂などが挙げられる。本実施形態では、前面部片５および後面部片６の構成素材として、柔らかくて伸縮性に優れるポリウレタンフォームが採用されている。
【００１９】
＜フィルタシートの説明＞
図２（ａ）に示されるように、フィルタシート４においても、後面部片６と同様に、前面部片５の膨出形状部５ａに対応する部分の上部および下部がそれぞれ切り欠かれており、フィルタシート４の中央上部には、上方に向けて開かれたＶの字状の切欠き部１１が形成される一方、フィルタシート４の中央下部には、下方に向けて開かれた逆Ｖの字状の切欠き部１２が形成されている。
【００２０】
フィルタシート４としては、例えば、天然繊維や化学繊維、ガラス繊維等を単独または適宜に組み合わせ、繊維を絡み合わせてシート状にした不織布の繊維空隙構造を利用したものが好適である。
【００２１】
以上に述べたように構成されるマスク１の使用に際しては、まず、後面部片６を前面部片５から引き離すように引っ張って、図２（ａ）に示されるように、フィルタシート非保持状態とする。このフィルタシート非保持状態において、フィルタシート４における上下の切欠き部１１，１２と、後面部片６における上下の切欠き部７，８との位置を合わせるように、開口部１０を通して前面部片５と後面部片６との間にフィルタシート４を差し込み、その後、フィルタシート４を前面部片５の裏面に押し付ける。このとき、前面部片５の膨出形状部５ａに沿ってフィルタシート４が変形すると、フィルタシート４における前面部片５の膨出形状部５ａに対応する部分の上部および下部にそれぞれ皺が寄ろうとするが、これら上部および下部に上下一対の切欠き部１１，１２が形成されているので、フィルタシート４に皺が生じるのを防ぐことができ、前面部片５の膨出形状部５ａに沿ってフィルタシート４を前面部片５に確実に密着させることができる。
【００２２】
次いで、後面部片６を前面部片５の方に向けて押し込んで図２（ｂ）に示されるようなフィルタシート保持状態とする。このとき、前面部片５の膨出形状部５ａに沿って後面部片６が変形すると、後面部片６における前面部片５の膨出形状部５ａに対応する部分の上部および下部にそれぞれ皺が寄ろうとするが、これら上部および下部に上下一対の切欠き部７，８が形成されているので、後面部片６に皺が生じるのを防ぐことができ、前面部片５の膨出形状部５ａに沿って後面部片６を確実に変形させることができる。したがって、前面部片５と後面部片６とでフィルタシート４を保持するようにした外形がカップ形状のマスク本体２で口や鼻を覆う構成のマスク１であっても、装着時に口や鼻に不快感を与えることなく前面部片５と後面部片６とでフィルタシート４を確実に保持することができる。
【００２３】
なお、使用後のフィルタシート４を新品のフィルタシート４に交換する際には、まず、図２（ｂ）に示されるようなフィルタシート保持状態となっている後面部片６を前面部片５から引き離すように引っ張って図２（ａ）に示されるようなフィルタシート非保持状態とする。次いで、前面部片５と後面部片６との間から開口部１０を通して使用後のフィルタシート４を引き抜き、その後、新品のフィルタシート４を、開口部１０を通して前面部片５と後面部片６との間に差し込み、以下、前述と同様にして前面部片５と後面部片６とでフィルタシート４を保持するようにする。
【００２４】
以上、本考案のマスクについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００２５】
本考案のマスクは、前面部片と後面部片とでフィルタシートを保持するようにした外形がカップ形状のマスク本体で口や鼻を覆う構成のマスクであっても、装着時に口や鼻に不快感を与えることなく前面部片と後面部片とでフィルタシートを確実に保持することができるという特性を有していることから、マスク本体に対しフィルタシートを適宜に交換して、大気中に浮遊する粉塵や花粉、細菌、ウイルス等の異物が鼻腔等を通じて体内に侵入するのを防ぐ衛生具としての用途に好適に用いることができ、産業上の利用可能性が大である。
【符号の説明】
【００２６】
１          マスク
２          マスク本体
３          耳掛け部
４          フィルタシート
５          前面部片
５ａ        膨出形状部
６          後面部片
７，８      切欠き部
１１，１２  切欠き部
【図１】
0003209649.tif 000003
【図２】
0003209649.tif 000004